(57)【要約】【課題】本発明はこのような市場ニーズに応えることができる程度に優れた黄色ブドウ球菌の測定、検出等を行うことのできる方法を提供する事と目的とする。【解決手段】以下の工程（１）〜（３）を含む、黄色ブドウ球菌を検出する方法；（１）酸処理に次いで中和処理された黄色ブドウ球菌を含む試料と、配列番号１〜７の何れかに示すアミノ酸配列を含む標識タンパク質とを接触させて、黄色ブドウ球菌と標識タンパク質との結合物（タンパク質−黄色ブドウ球菌複合体）を生成する工程、（２）メンブレン上に固定化された配列番号１〜７の何れか１項に示すアミノ酸配列を含むタンパク質と、工程（１）にて生成される黄色ブドウ球菌−標識タンパク質複合体を接触させて、当該タンパク質と黄色ブドウ球菌−標識タンパク質複合体の結合物（タンパク質−黄色ブドウ球菌−標識タンパク質複合体）を生成する工程、及び（３）メンブレン上に固定化されたタンパク質−黄色ブドウ球菌−標識タンパク質の複合体を検出する工程。【選択図】なし【特許請求の範囲】
【請求項１】
以下の工程（１）〜（３）を含む、黄色ブドウ球菌を検出する方法；
（１）酸処理に次いで中和処理された黄色ブドウ球菌を含む試料と、配列番号１〜７の何れかに示すアミノ酸配列を含む標識タンパク質とを接触させて、黄色ブドウ球菌と標識タンパク質との結合物（黄色ブドウ球菌−標識タンパク質複合体）を生成する工程、
（２）メンブレン上に固定化された配列番号１〜７の何れかに示すアミノ酸配列を含むタンパク質と、工程（１）にて生成される黄色ブドウ球菌−標識タンパク質複合体を接触させて、当該タンパク質と黄色ブドウ球菌−標識タンパク質複合体との結合物（タンパク質−黄色ブドウ球菌−標識タンパク質複合体）を生成する工程、及び
（３）メンブレン上に固定化されたタンパク質−黄色ブドウ球菌−標識タンパク質複合体を検出する工程。
【請求項２】
中和処理が水酸化ナトリウムによる中和処理である、請求項１に記載の方法。
【請求項３】
酸処理が塩酸による酸処理である、請求項１又は２に記載の方法。
【請求項４】
メンブレンがニトロセルロースメンブレンである、請求項１〜３の何れか１項に記載の方法。
【請求項５】
標識タンパク質及び／又はタンパク質が配列番号２に示すアミノ酸配列からなる、請求項１〜４の何れか１項に記載の方法。
【請求項６】
配列番号１〜７の何れかに示すアミノ酸配列を含むタンパク質が固相化された黄色ブドウ球菌検出用メンブレンであって、該黄色ブドウ球菌が酸処理に次いで中和処理されているものであることを特徴とする黄色ブドウ球菌検出用メンブレン。
【請求項７】
中和処理が水酸化ナトリウムによる中和処理である請求項６に記載のメンブレン。
【請求項８】
酸処理が塩酸による酸処理である、請求項６又は７に記載のメンブレン。
【請求項９】
メンブレンがニトロセルロースメンブレンである、請求項６〜８の何れか１項に記載のメンブレン。
【請求項１０】
タンパク質が配列番号２に示すアミノ酸配列からなる、請求項６〜９の何れか１項に記載のメンブレン。
【請求項１１】
請求項６〜１０の何れか１項に記載のメンブレンを含む黄色ブドウ球菌測定用キット。
【発明の詳細な説明】
【技術分野】
【０００１】
黄色ブドウ球菌を検出する方法、黄色ブドウ球菌測定用メンブレン、及び黄色ブドウ球菌測定用キットに関する。
【背景技術】
【０００２】
ブドウ球菌属には１０種類以上の菌が属すると考えられており、中でも黄色ブドウ球菌（Ｓｔａｐｈｙｌｏｃｏｃｃｕｓ  ａｕｒｅｕｓ）が、ヒトに対する病原性が最も高い菌であると知られている。
【０００３】
黄色ブドウ球菌に感染した場合、通常は抗生物質を投与する事によって簡便に治療する事が出来るため、このような治療手段が多用された結果、各種抗生物質に対して耐性を有するペニシリン耐性黄色ブドウ球菌（ＰＲＳＡ）、メチシリン耐性黄色ブドウ球菌（ＭＲＳＡ）、バンコマイシン耐性黄色ブドウ球菌（ＶＲＳＡ）等といった薬剤耐性を獲得した黄色ブドウ球菌が出現してしまっている。そして、これらの薬剤耐性黄色ブドウ球菌に感染した場合の治療方法の探索が問題となっている。
【０００４】
このような事情に鑑みて、ヒトが黄色ブドウ球菌に感染しているかどうかを確認すること、医療施設の設備、空間等における黄色ブドウ球菌の有無を確認すること等を目的とした、黄色ブドウ球菌の測定方法、測定キット等が多数開発されている。
【０００５】
例えば、ラテックス凝集反応を測定原理とする「ＰＳラテックス」（栄研化学株式会社）は、黄色ブドウ球菌の表層に存在するＰｒｏｔｅｉｎ  Ａと、ウサギ由来のＩｇＧとの結合能を使用して黄色ブドウ球菌を測定する試薬キットである。
【０００６】
同様にラテックス凝集反応を測定原理とする「スタフィロＬＡ「生研」」（デンカ生研株式会社）は、黄色ブドウ球菌のクランピングファクター（コアグラーゼ）と、フィブリノーゲンとの結合能を使用して黄色ブドウ球菌を測定する試薬キットである。
【０００７】
また、イムノクロマト法を測定原理としたＡｌｅｒｅ社のＢｉｎａｘＮＯＷ（登録商標）Ｓｔａｐｈｙｌｏｃｏｃｃｕｓ  ａｕｒｅｕｓ  Ｃａｒｄは、黄色ブドウ球菌のタンパク質と、それに対するポリクローナルＩｇＧ抗体との結合能を使用して黄色ブドウ球菌を測定する試薬キットである。
【０００８】
同様にイムノクロマト法を測定原理とした非特許文献１には、黄色ブドウ球菌の表層に存在するＰｒｏｔｅｉｎ  Ａと、それに対するモノクローナルＩｇＧ抗体との結合能を使用して黄色ブドウ球菌を測定する方法が開示されている。
【０００９】
また、特許文献１には黄色ブドウ球菌の表層に存在するテイコ酸（Ｔｅｉｃｈｏｉｃ  ａｃｉｄ）に結合するペプチドが開示されており、かかるペプチドを有するポリスチレンビーズを用い、その凝集反応によって黄色ブドウ球菌を検出する方法が開示されている。
【００１０】
特許文献２には、酸処理及び加熱処理を採用したブドウ球菌の抗原抽出方法が開示されている。
【先行技術文献】
【特許文献】
【００１１】
【特許文献１】特開２０１３−０６６４５６号公報
【特許文献２】特開２０１２−１４９８９６号公報
【非特許文献】
【００１２】
【非特許文献１】Ｃｌｉｎ  Ｃｈｉｍ  Ａｃｔａ．２００６；３７３（１−２）：１３９−４３．
【発明の概要】
【発明が解決しようとする課題】
【００１３】
上述のラテックス凝集反応を測定原理とする試薬キットの検出感度は１×１０９ｃｆｕ／ｍｌ程度しかなく、黄色ブドウ球菌を高感度に測定できるものとは言い難い。このため、Ｐｒｏｔｅｉｎ  Ａやクランピングファクターの産生能の低い黄色ブドウ球菌が測定対象サンプルに含まれていた場合、偽陰性と判断されてしまう可能性が高い。また、黄色ブドウ球菌以外の菌に対する交差性が少ないという情報も存在しない。
【００１４】
Ａｌｅｒｅ社の試薬キットは、Ｃｌｏｓｔｒｉｄｉｕｍ  ｂｉｆｅｒｍｅｎｔａｎｓ、Ｃｌｏｓｔｒｉｄｉｕｍ  ｐｅｒｆｒｉｎｇｅｎｓ、Ｃｌｏｓｔｒｉｄｉｕｍ  ｈｙｓｔｏｌｙｔｉｃｕｍ等といったＳｔａｐｈｙｌｏｃｏｃｃｕｓ属菌ではないＣｌｏｓｔｒｉｄｉｕｍ属菌に交差性を有し、また、Ｓｔａｐｈｙｌｏｃｏｃｃｕｓ  ｓｃｈｌｅｉｆｅｒｉ  ｓｕｂｓｐ．  ｃｏａｇｕｌａｎｓに対しても交差性を示してしまう。そして、検出感度も５×１０８ｃｆｕ／ｍｌ程度と低い。
【００１５】
非特許文献１に記載の方法は、２５ｎｇ／ｍｌ程度のＰｒｏｔｅｉｎ  Ａを検出できることしか開示されておらず、実際にどの程度の菌数の黄色ブドウ球菌が測定できるかは不明である。また、黄色ブドウ球菌と同様にＳｔａｐｈｙｌｏｃｏｃｃｕｓ属に属するＳｔａｐｈｙｌｏｃｏｃｃｕｓ  ｘｙｌｏｓｕｓと反応するため優れた交差性を示す方法とは言えない。
【００１６】
さらに、Ｓ．ｘｙｌｏｓｕｓは黄色ブドウ球菌とは異なる病原性を示すとされることから、この両者を区別して測定することは重要であるにもかかわらず、非特許文献１の方法ではこれを実施することもできない。
【００１７】
特許文献１には、黄色ブドウ球菌を検出する方法が開示されているものの、この方法によると、どの程度の検出感度を有するかは何ら開示されておらず、他の菌種との交差性についても何ら開示されていない。
【００１８】
また、特許文献２には、黄色ブドウ球菌を酸処理した後に、ＰＢＰ２’タンパク質に対する抗体を用いたイムノクロマトに供して黄色ブドウ球菌を検出する方法が開示されているが、ＭＳＳＡ  ＦＤＡ２０９Ｐ、ＭＳＳＡ臨床分離株Ｎｏ．８等といった特定の黄色ブドウ球菌は測定できない結果が示されており、黄色ブドウ球菌の測定方法として好ましい方法が開示されているとは言えない。また、具体的な検出感度についても何ら示唆されていない。
【００１９】
以上のように、従来技術では黄色ブドウ球菌を測定する上で高い検出感度及び優れた検出交差性を兼ね備えた市場ニーズに応える事の出来る方法は何ら開示されていない。
【００２０】
本発明はこのような市場ニーズに応えることができる程度に高い検出感度と優れた検出交差性を有する、優れた黄色ブドウ球菌の検出方法を提供する事と目的とする。
【課題を解決するための手段】
【００２１】
本発明者らは、このような課題を解決すべく鋭意研究を進めた結果、黄色ブドウ球菌を含むサンプルに対して特定の処理を施す事及び黄色ブドウ球菌に特異的に結合するタンパク質を組み合わせて採用することで、主としてクロマト法原理に基づいたメンブレン上において黄色ブドウ球菌が選択的に、且つ高感度に検出できることを見出した。
【００２２】
本発明は斯かる知見に基づいたものであり、以下に示す広い態様を含むものである
項１  以下の工程（１）〜（３）を含む、黄色ブドウ球菌を検出する方法；
（１）酸処理に次いで中和処理された黄色ブドウ球菌を含む試料と、配列番号１〜７の何れかに示すアミノ酸配列を含む標識タンパク質とを接触させて、黄色ブドウ球菌と標識タンパク質との結合物（黄色ブドウ球菌−標識タンパク質複合体）を生成する工程、
（２）メンブレン上に固定化された配列番号１〜７の何れかに示すアミノ酸配列を含むタンパク質と、工程（１）にて生成される黄色ブドウ球菌−標識タンパク質複合体を接触させて、当該タンパク質と黄色ブドウ球菌−標識タンパク質複合体との結合物（タンパク質−黄色ブドウ球菌−標識タンパク質複合体）を生成する工程、及び
（３）メンブレン上に固定化されたタンパク質−黄色ブドウ球菌−標識タンパク質複合体を検出する工程。
【００２３】
項２  中和処理が水酸化ナトリウムによる中和処理である、上記項１に記載の方法。
【００２４】
項３  酸処理が塩酸による酸処理である、上記項１又は項２に記載の方法。
【００２５】
項４  メンブレンがニトロセルロースメンブレンである、上記項１〜項３の何れか１項に記載の方法。
【００２６】
項５  標識タンパク質及び／又はタンパク質が配列番号２に示すアミノ酸配列からなる、上記項１〜項４の何れか１項に記載の方法。
【００２７】
項６  配列番号１〜７の何れかに示すアミノ酸配列を含むタンパク質が固相化された黄色ブドウ球菌検出用メンブレンであって、該黄色ブドウ球菌が酸処理に次いで中和処理されているものであることを特徴とする黄色ブドウ球菌検出用メンブレン。
【００２８】
項７  中和処理が水酸化ナトリウムによる中和処理である上記項６に記載のメンブレン。
【００２９】
項８  酸処理が塩酸による酸処理である、上記項６又は項７に記載のメンブレン。
【００３０】
項９  メンブレンがニトロセルロースメンブレンである、上記項６〜項８の何れか１項に記載のメンブレン。
【００３１】
項１０  タンパク質が配列番号２に示すアミノ酸配列からなる、上記項６〜項９の何れか１項に記載のメンブレン。
【００３２】
項１１  上記項６〜項１０の何れか１項に記載のメンブレンを含む黄色ブドウ球菌測定用キット。
【発明の効果】
【００３３】
本発明に係る黄色ブドウ球菌の検出方法によると、近縁のブドウ球菌属に属する菌にすら交差性を示すことなく黄色ブドウ球菌を選択的に検出でき、また、薬剤感受性菌及び薬剤耐性菌のいずれも検出することができる。そして、本発明の方法によれば、高い検出感度で黄色ブドウ球菌を検出することができる。
【００３４】
本発明に係るメンブレンを用いることによって、上述の本発明に係る黄色ブドウ球菌の検出方法を実施することができる。したがって、上述の本発明に係る黄色ブドウ球菌の検出方法と同様の効果を発揮する。
【００３５】
本発明に係るキットは、上述の本発明に係るメンブレンを含む。したがって、上述の本発明に係る黄色ブドウ球菌の検出方法及び本発明に係るメンブレンと同様の効果を発揮する。
【図面の簡単な説明】
【００３６】
【図１】本発明に係るメンブレンを含むテストストリップの１つの態様を示す図。図中の１は吸水パッド、２はバッキングシート、そして３は本発明に係るメンブレンを示す。図中の白矢印はコントロールラインの塗布位置そして黒矢印はテストラインの塗布位置を示す。図中の４はメンブレンの下端を示す。
【図２】実施例１の結果を示す写真に代わる画像。図中の１〜１２は、それぞれ表１に示す実験条件で行った実験結果である。図中の白矢印はコントロールラインの塗布位置そして黒矢印はテストラインの塗布位置を示す。
【図３】実施例２の結果を示す写真に代わる画像。図中の１〜１２は、それぞれ表２に示す実験条件で行った実験結果である。図中の白矢印はコントロールラインの塗布位置そして黒矢印はテストラインの塗布位置を示す。
【図４】実施例３の結果を示す写真に代わる画像。図中の１〜２２は、それぞれ表３に示す実験条件で行った実験結果である。図中の白矢印はコントロールラインの塗布位置そして黒矢印はテストラインの塗布位置を示す。
【図５】実施例４の結果を示す写真に代わる画像。図中の１〜１６は、それぞれ表４に示す実験条件で行った実験結果である。図中の白矢印はコントロールラインの塗布位置そして黒矢印はテストラインの塗布位置を示す。
【発明を実施するための形態】
【００３７】
＜黄色ブドウ球菌の検出方法＞
本発明に係る黄色ブドウ球菌の検出方法は、以下に示す工程（１）〜（３）を含む。
（１）酸処理に次いで中和処理された黄色ブドウ球菌を含む試料と、配列番号１〜７の何れかに示すアミノ酸配列を含む標識タンパク質とを接触させて、黄色ブドウ球菌と標識タンパク質との結合物（黄色ブドウ球菌−標識タンパク質複合体）を生成する工程；
（２）メンブレン上に固定化された配列番号１〜７の何れかに示すアミノ酸配列を含むタンパク質と、工程（１）にて生成される黄色ブドウ球菌−標識タンパク質複合体を接触させて、当該タンパク質と黄色ブドウ球菌−標識タンパク質複合体との結合物（タンパク質−黄色ブドウ球菌−標識タンパク質複合体）を生成する工程；及び
（３）メンブレン上に固定化されたタンパク質−黄色ブドウ球菌−標識タンパク質複合体を検出する工程。
【００３８】
工程（１）について
本発明に係る黄色ブドウ球菌の検出方法における工程（１）は、酸処理に次いで中和処理された黄色ブドウ球菌を含む試料と、配列番号１〜７の何れかに示すアミノ酸配列を含む標識タンパク質とを接触させる工程である。
【００３９】
黄色ブドウ球菌には、メチシリン耐性黄色ブドウ球菌（ＭＲＳＡ）、バンコマイシン耐性黄色ブドウ球菌（ＶＲＳＡ）、バンコマイシン低度耐性黄色ブドウ球菌（ＶＩＳＡ）等といった、薬剤耐性を獲得した黄色ブドウ球菌も含まれる。
【００４０】
酸処理は、特に限定はされないが、例えば、アレニウス酸、ブレンステッド酸、ルイス酸等による処理が挙げられる。より具体的には、カルボキシル基、スルホ基、ヒドロキシル基、チオール基等の官能基を有する有機酸；並びに塩酸、リン酸、硝酸、過塩素酸、硫酸、ホウ酸、硝酸等の無機酸による処理が挙げられる。
【００４１】
中でも、塩酸、リン酸、硫酸、硝酸等の無機酸による処理が好ましく、塩酸による処理が最も好ましい。
【００４２】
酸処理時の環境として、例えばｐＨとしては通常は５以下であればよく、３以下とすることが好ましい。温度としては、通常は室温〜１００℃程度であればよく、煮沸処理に供してもよい。処理時間としては、通常は１分〜６０分程度とすればよい。
【００４３】
酸処理に次ぐ中和処理とは、アレニウス塩基、ブレンステッド塩基、ルイス塩基等の塩基による処理が挙げられる。より具体的には、アミン基等の官能基を有する有機塩基；水酸化ナトリウム、水酸化カリウム、リン酸水素ナトリウム、リン酸水素カリウム、リン酸水素二ナトリウム、リン酸水素二カリウム、アンモニア等の無機塩基等の塩基による処理が挙げられる。
【００４４】
中でも、水酸化ナトリウム、リン酸水素二カリウム等の塩基による処理が好ましく、水酸化ナトリウムによる処理が最も好ましい。
【００４５】
なお、工程（１）における酸処理及びそれに次いで行う中和処理を、界面活性剤の存在下で行ってもよい。具体的な界面活性剤は、特に限定はされないが、例えばＢｒｉｊ５８、Ｂｒｉｊ３５、Ｔｗｅｅｎ２０、Ｔｗｅｅｎ４０、Ｔｗｅｅｎ６０、ＴｒｉｔｏｎＸ１００、ＴｒｉｔｏｎＸ１１４、ＮＰ−４０、ｎ−オクチル−β−Ｄ−グルコピラノシド等の非イオン系界面活性剤；臭化ヘキサデシルトリメチルアンモニウムなどの陽イオン性界面活性剤；ドデシル硫酸ナトリウム、デオキシコール酸ナトリウム、コール酸ナトリウム等の陰イオン性界面活性剤；ＣＨＡＰＳ、ＣＨＡＰＳＯ等の両イオン性界面活性剤等が挙げられる。中でも、Ｂｒｉｊ５８、ＴｒｉｔｏｎＸ１００、Ｔｗｅｅｎ２０等が好ましい。
【００４６】
界面活性剤の使用濃度は特に限定されないが、酸処理又は中和処理の際に用いる試料全体に対する終濃度に換算して、通常は０．００１〜５％程度とすればよく、０．０１〜０．５％程度が好ましい。
【００４７】
配列番号１〜７の何れかに示すアミノ酸配列を含む標識タンパク質とは、配列番号１〜７の何れかに示すアミノ酸配列を含むタンパク質が標識化されたタンパク質である。上記タンパク質のアミノ酸配列のＮ末端又はＣ末端側には、更にタグ等のアミノ酸配列が付加されていてもよい。
【００４８】
配列番号１に示すアミノ酸配列からなるタンパク質は、ＯＲＦ１６ＸＸとも呼ばれ、黄色ブドウ球菌のテイコ酸に結合するタンパク質であるＯＲＦ１６の４５２番目から４６２番目のアミノ酸配列からなるタンパク質である。
【００４９】
配列番号２に示すアミノ酸配列からなるタンパク質は、ＯＲＦ１６呼ばれ、黄色ブドウ球菌のテイコ酸に結合するタンパク質である。
【００５０】
配列番号３に示すアミノ酸配列からなるタンパク質は、ＯＲＦ１６Ｆ１とも呼ばれ、黄色ブドウ球菌のテイコ酸に結合するタンパク質であるＯＲＦ１６の１０１番目から４６２番目のアミノ酸配列からなるタンパク質である。
【００５１】
配列番号４に示すアミノ酸配列からなるタンパク質は、ＯＲＦ１６Ｆ２とも呼ばれ、黄色ブドウ球菌のテイコ酸に結合するタンパク質であるＯＲＦ１６の２０２番目から４６２番目のアミノ酸配列からなるタンパク質である。
【００５２】
配列番号５に示すアミノ酸配列からなるタンパク質は、ＯＲＦ１６Ｆ３とも呼ばれ、黄色ブドウ球菌のテイコ酸に結合するタンパク質であるＯＲＦ１６の３０３番目から４６２番目のアミノ酸配列からなるタンパク質である。
【００５３】
配列番号６に示すアミノ酸配列からなるタンパク質は、ＯＲＦ１６Ｆ４とも呼ばれ、黄色ブドウ球菌のテイコ酸に結合するタンパク質であるＯＲＦ１６の４０４番目から４６２番目のアミノ酸配列からなるタンパク質である。
【００５４】
配列番号７に示すアミノ酸配列からなるタンパク質は、ＯＲＦ１６Ｆ５とも呼ばれ、黄色ブドウ球菌のテイコ酸に結合するタンパク質であるＯＲＦ１６の５０５番目から４６２番目のアミノ酸配列からなるタンパク質である。
【００５５】
上述の配列番号１〜７の何れかからなるアミノ酸配列を含むタンパク質には、その変異体も包含される。この様な変異体は、上述のような黄色ブドウ球菌のテイコ酸に結合する能力を有する限り、特に限定はされないが、例えば、配列番号１〜７の何れかに示すアミノ酸配列と８５％以上、好ましくは９０％以上、より好ましくは９５％以上、最も好ましくは９９％以上の同一性を有するアミノ酸配列を含む、タンパク質を挙げられる。
【００５６】
アミノ酸配列の『同一性』とは、２以上の対比可能なアミノ酸配列の、お互いに対する同一のアミノ酸配列の程度をいう。従って、ある２つのアミノ酸配列の同一性が高いほど、それらの配列の同一性または類似性は高いことを意味する。
【００５７】
アミノ酸配列の同一性のレベルは、例えば、配列分析用ツールであるＦＡＳＴＡを用い、そのデフォルトパラメータを用いて決定される。
【００５８】
若しくは、ＫａｒｌｉｎおよびＡｌｔｓｃｈｕｌによるアルゴリズムＢＬＡＳＴ（Ｋａｒｌｉｎ  Ｓ，  Ａｌｔｓｃｈｕｌ  ＳＦ．“Ｍｅｔｈｏｄｓ  ｆｏｒ  ａｓｓｅｓｓｉｎｇ  ｔｈｅ  ｓｔａｔｉｓｔｉｃａｌ  ｓｉｇｎｉｆｉｃａｎｃｅ  ｏｆ  ｍｏｌｅｃｕｌａｒ  ｓｅｑｕｅｎｃｅ  ｆｅａｔｕｒｅｓ  ｂｙ  ｕｓｉｎｇ  ｇｅｎｅｒａｌ  ｓｃｏｒｉｎｇ  ｓｃｈｅｍｅｓ”Ｐｒｏｃ．Ｎａｔｌ  Ａｃａｄ  Ｓｃｉ  ＵＳＡ．８７：２２６４−２２６８（１９９０）、Ｋａｒｌｉｎ  Ｓ，Ａｌｔｓｃｈｕｌ  ＳＦ．”Ａｐｐｌｉｃａｔｉｏｎｓ  ａｎｄ  ｓｔａｔｉｓｔｉｃｓ  ｆｏｒ  ｍｕｌｔｉｐｌｅ  ｈｉｇｈ−ｓｃｏｒｉｎｇ  ｓｅｇｍｅｎｔｓ  ｉｎ  ｍｏｌｅｃｕｌａｒ  ｓｅｑｕｅｎｃｅｓ．”Ｎａｔｌ  Ａｃａｄ  Ｓｃｉ  ＵＳＡ．９０：５８７３−７（１９９３））を用いて決定できる。このようなＢＬＡＳＴのアルゴリズムに基づいたＢＬＡＳＴＸと呼ばれるプログラムが開発されている。ＢＬＡＳＴＸを用いる際のパラメーターとしては、例えば、ｓｃｏｒｅ＝５０、ｗｏｒｄｌｅｎｇｔｈ＝３とすればよい。これらの解析方法の具体的な手法は公知であり、Ｎａｔｉｏｎａｌ  Ｃｅｎｔｅｒ  ｏｆ  Ｂｉｏｔｅｃｈｎｏｌｏｇｙ  Ｉｎｆｏｒｍａｔｉｏｎ（ＮＣＢＩ）のウエブサイト（ｈｔｔｐ：／／ｗｗｗ．ｎｃｂｉ．ｎｌｍ．ｎｉｈ．ｇｏｖ／）を参照すればよい。
【００５９】
変異体とは、配列番号１〜７の何れかに示すアミノ酸配列に対して変異導入されたものである。具体的な変異導入としては、置換、欠失、挿入等が挙げられる。この様な変異導入法は公知の方法を採用することができ、特に限定はされないが、例えば置換であれば保存的な置換技術を採用すればよい。「保存的な置換技術」とは、アミノ酸残基が類似の側鎖を有するアミノ酸残基に置換されることを意味する。
【００６０】
例えば、リジン、アルギニン、ヒスチジンといった塩基性側鎖を有するアミノ酸残基同士で置換されることが、保存的な置換技術にあたる。その他、アスパラギン酸、グルタミン酸といった酸性側鎖を有するアミノ酸残基；グリシン、アスパラギン、グルタミン、セリン、スレオニン、チロシン、システインといった非帯電性極性側鎖を有するアミノ酸残基；アラニン、バリン、ロイシン、イソロイシン、プロリン、フェニルアラニン、メチオニン、トリプトファンといった非極性側鎖を有するアミノ酸残基；スレオニン、バリン、イソロイシンといったβ−分枝側鎖を有するアミノ酸残基、チロシン、フェニルアラニン、トリプトファン、ヒスチジンといった芳香族側鎖を有するアミノ酸残基同士での置換も同様に、保存的な置換にあたる。
【００６１】
標識化タンパク質とは、特に限定はされないが、分子生物学的技術にて通常用いられる標識化物質によって修飾されたタンパク質を意味する。標識化物質とは、特に限定はされないが、例えば、蛍光物質、発光物質、発色物質、放射性物質等が挙げられ、中でも発色物質である金コロイドが最も好ましい。
【００６２】
標識化物質によるタンパク質の修飾方法は、特に限定されることなく、公知の方法を適宜改変して採用すればよい。
【００６３】
工程（１）における酸処理について中和処理された黄色ブドウ球菌を含む試料と、配列番号１〜７の何れかに示すアミノ酸配列を含む標識タンパク質を接触させる工程は、当該試料と標識タンパク質を混合さえすればよい。混合時の条件は特に限定されることはなく、公知の方法を適宜改変すればよい。かくして、当該試料中に含まれる黄色ブドウ球菌と標識タンパク質との結合体（黄色ブドウ球菌−黄色ブドウ球菌複合体）が生成される。なお、酸処理について中和処理された黄色ブドウ球菌を含む試料は、あらかじめ公知の固液分離工程に供して得られた液層画分を当該試料としてもよい。
【００６４】
また、上述の標識タンパク質は、黄色ブドウ球菌に結合する量よりも過剰に含まれていることが好ましく、黄色ブドウ球菌に結合しない過剰量の標識タンパク質は、例えば下記に示すコントロールラインに固定化された黄色ブドウ球菌に結合し、本発明に係る検出方法の確認として用いることができる。
【００６５】
工程２について
本発明に係る黄色ブドウ球菌の検出方法における工程（２）は、メンブレン上に固定化された配列番号１〜７の何れか１項に示すアミノ酸配列を含むタンパク質と、工程１にて生成される黄色ブドウ球菌−標識タンパク質複合体を接触させる工程である。
【００６６】
工程２におけるメンブレン上にて固定化される配列番号１〜７に示すアミノ酸配列を含むタンパク質とは、上記工程（１）にて詳述したものと同様とすることができる。
【００６７】
工程２におけるメンブレンとは、特に限定はされないが、主として生化学の分野で用いられるものであればよく、例えばＰＶＤＦ製のメンブレン、ニトロセルロース製のメンブレン、ナイロン製のメンブレンが挙げられる。中でも、ニトロセルロース製のメンブレン又はＰＶＤＦ製のメンブレンが好ましく、ニトロセルロース製のメンブレンが最も好ましい。
【００６８】
配列番号１〜７に示すアミノ酸配列を含むタンパク質をメンブレンに固定する方法は、特に限定はされず、公知の方法を適宜改変して採用すればよい。なお、配列番号１〜７に示すアミノ酸配列を含むタンパク質は、メンブレン上の全ての領域に固定化される必要はなく、例えば、イムノクロマト技術に基づいた本発明に係る方法の一つの実施態様の模式図である図１の黒矢印（テストライン）に示すように、メンブレン上の一部の位置に固定化されることが好ましい。
【００６９】
なお、イムノクロマト技術に基づく方法を採用する場合、図１の白矢印（コントロールライン）に示すように、上記テストラインの下流位置に黄色ブドウ球菌が更に固定化されていてもよい。
【００７０】
黄色ブドウ球菌のメンブレン上への固定化方法は、上述の配列番号１〜７に示すアミノ酸配列を含むタンパク質のメンブレン上への固定化方法と同様に公知の方法を採用することができる。
【００７１】
上述のメンブレンは、配列番号１〜７に示すアミノ酸配列を含むタンパク質の固定化及び必要に応じて行われる黄色ブドウ球菌の固定化の後に、ブロッキング処理に供されていてもよい。ブロッキング処理とは、上述のメンブレンをスキムミルク、ＢＳＡ、血清等のブロッキング剤を含む溶液に浸す方法を適宜改変して採用すればよい。
【００７２】
また、上述のメンブレンはさらにバッキングシート、吸水パッド等といった、イムノクロマト技術にて採用される構成物を備えていてもよい。これらの構成物は公知の方法に従って設置することができる。
【００７３】
本発明の工程２は、例えば、工程１にて生成される黄色ブドウ球菌−標識タンパク質複合体を含む試料に、上述のメンブレンを浸漬させることで実施できる。これによって、当該試料中の黄色ブドウ球菌−標識タンパク質複合体が、メンブレンが元来有する毛細管現象作用によって上述のメンブレンに吸い込まれ、そしてメンブレン上に固定化された上記タンパク質及び必要に応じて固定化された黄色ブドウ球菌と接触することができる。かくして、工程（１）で生成される黄色ブドウ球菌−標識タンパク質複合体はメンブレン上において上記タンパク質と結合し、タンパク質−黄色ブドウ球菌−標識タンパク質複合体として固定化される。また、メンブレン上のコントロールラインに黄色ブドウ球菌が固定化された場合、黄色ブドウ球菌と上述のように工程（１）にて黄色ブドウ球菌に結合しなかった過剰分の標識タンパク質と結合する。
【００７４】
工程（３）について
本発明に係る黄色ブドウ球菌の検出方法における工程３は、メンブレン上に固定化されたタンパク質−黄色ブドウ球菌−標識タンパク質の複合体を検出する工程である。
【００７５】
具体的な検出方法は、標識タンパク質の標識物質に基づくシグナルを検出すればよく、標識物質が例えば蛍光物質であれば必要に応じて光学フィルターを用いればよく、放射性物質であれば放射線検出装置を用いればよく、発色物質であれば、写真像を得るか又は目視で検出すればよい。
【００７６】
この様に工程（３）にてシグナルを検出できた場合、工程（１）にて用いた試料中に黄色ブドウ球菌が存在していると判断することができる。
【００７７】
例えば、図１に示すようにコントロールライン及びテストラインが設けられたメンブレンを用い、配列番号１〜７に示すアミノ酸配列を含むタンパク質が金コロイドにて標識化されたものを用いた場合、テストライン上に金コロイドに基づく発色が目視等によって確認されると、試料中に黄色ブドウ球菌が存在すると判断することができる。なお、コントロールライン上にも同様の発色が確認された場合、斯かる検出が正常に行われたことも同時に確認することができる。
【００７８】
＜黄色ブドウ球菌検出用メンブレン＞
本発明に係る黄色ブドウ球菌測定用メンブレンは、配列番号１〜７の何れかに示すアミノ酸配列を含むタンパク質が固相化されたメンブレンであって、該メンブレンは酸処理に次いで中和処理された試料中に含まれる黄色ブドウ球菌を検出するために用いられる。
【００７９】
本発明に係るメンブレンにおける「配列番号１〜７の何れかに示すアミノ酸配列を含むタンパク質」、「固相化」、「メンブレン」、「酸処理」、「中和処理」等の全ての構成は、上述の本発明に係る＜黄色ブドウ球菌の検出方法＞に記載したものと同様とすることができる。
【００８０】
従って、本発明に係るメンブレンは、上述の本発明に係る検出方法に好適に用いることができる。
【００８１】
＜黄色ブドウ球菌検出用キット＞
本発明に係る黄色ブドウ球菌検出用キットは、上述の本発明に係る＜黄色ブドウ球菌検出用メンブレン＞を含む。
【００８２】
さらに、本発明に係るキットは本発明に係る黄色ブドウ球菌検出用メンブレンを含むものであり、上述の本発明に係る＜黄色ブドウ球菌の検出方法＞に好適に用いることができる。
【００８３】
従って、斯かる方法を実施するために必要な各種構成をさらに含んでいてもよい。この様な構成としては、例えば、バッファー、ディスポーザブル製品等が挙げられる。
【００８４】
なお、本発明に係るキットは黄色ブドウ球菌の検出用に好適に用いられるキットであるため、当該キットを構成する物品は滅菌処理が施されていることが好ましい。
【実施例】
【００８５】
＜製造例１＞テストストリップの作製
（１−１）ＯＲＦ１６タンパク質固相化メンブレンの調製
〔材料〕
・ニトロセルロースメンブレン：Ｈｉ−Ｆｌｏｗ  Ｐｌｕｓ  ＨＦ１８０（ミリポア社）  ２５ｍｍ×１９０ｍｍ
・ＯＲＦ１６タンパク質（配列番号２に示すアミノ酸配列からなり、特許文献１に記載の方法により入手。）
・ＢＳＡ
・ＰＢＳ
・Ｓｔａｐｈｙｌｏｃｏｃｃｕｓ  ａｕｒｅｕｓ  ＦＤＡ２０９Ｐ（ＭＳＳＡ； ＡＴＣＣ  Ｎｏ．ＡＴＣＣ６５３８Ｐ）
・ブロッキングバッファー：０．５％ＢＳＡ含有ＰＢＳ
・テストライン希釈液：６％スクロース及び１０％の２−プロパノール含有ＰＢＳ
・テストライン溶液：０．５ｍｇ／ｍＬのＯＲＦ１６タンパク質とテストライン希釈液を等量ずつ混合して得られたもの
・コントロールライン溶液：Ｓｔａｐｈｙｌｏｃｏｃｃｕｓ  ａｕｒｅｕｓ  ＦＤＳ２０９ＰをＰＢＳに懸濁し、５７８ｎｍのＯＤが０．３となるように希釈・調整したものを、５分間煮沸処理に供して得られたもの
【００８６】
〔方法〕
図１に示すように、ニトロセルロースメンブレンの下端から１０ｍｍ付近の位置に、テストライン溶液を２μＬ／１０ｍｍの条件で塗布した。また、ニトロセルロースの下端から１５ｍｍ付近の位置に、コントロールライン溶液を２μＬ／１０ｍｍの条件で塗布した。
【００８７】
その後、ニトロセルロースメンブレンを室温で１時間乾燥させ、ブロッキングバッファーに浸し、室温で１０分間振盪させ、精製水による５分間の洗浄を２回繰り返した。
【００８８】
更に、洗浄後のニトロセルロースメンブレンを３％のスクロース水溶液に浸して室温で１０分間振盪させた後に、室温で１時間乾燥させた。
【００８９】
（１−２）テストストリップの組み立て
〔材料〕
・上述の方法で作製したＯＲＦ１６タンパク質固相化メンブレン
・吸収パッド（ミリポア社）  ４０ｍｍ×１９０ｍｍ
・バッキングシート（粘着シート）  ６０ｍｍ×１９０ｍｍ
【００９０】
〔方法〕
図１に示すように、バッキングシート上に上述の方法で作製したＯＲＦ１６タンパク質固相化メンブレンを貼り付け、さらにその上に吸収パッドを張り付けた。ここで、ＯＲＦ１６タンパク質固相化メンブレンと吸収パッドは５ｍｍ程度、互いが重なり合うように張り付けた。
【００９１】
次いで、これを５ｍｍ毎の幅に切断して、テストストリップとした。
【００９２】
＜製造例２＞金コロイド結合ＯＦＲ１６タンパク質の調製
〔材料〕
・金コロイド溶液：ＬＣ  ｔｙｐｅ  ４０ｎｍ（田中貴金属  株式会社）
・１ｍｇ／ｍｌ  ＯＲＦ１６タンパク質
・ＭＯＰＳバッファー（ｐＨ８．０）
・ＢＳＡ
・Ｔｒｉｓ−ＨＣｌバッファー（ｐＨ８．２）
・ブロッキングバッファー：１０％ＢＳＡ含有ＭＯＰＳバッファー（２０ｍＭ）
【００９３】
〔方法〕
０．９ｍＬの金コロイド溶液に０．１ｍＬのＭＯＰＳバッファー（０．２Ｍ）を加えた。これに、６０μｇ／ｍＬに調製した０．１ｍＬのＯＲＦ１６タンパク質を加えて混合し、室温で２０分間静置した。
【００９４】
次いで、これに１２２μＬのブロッキングバッファーを加えて混合し、室温で２０分間静置した。
【００９５】
静置の後、４℃の環境下で１２０００ｒｐｍの条件で１０分間の遠心分離工程に供し、上清を除去した後の沈渣を０．９ｍＬの１％ＢＳＡ含有Ｔｒｉｓ−ＨＣｌ（１０ｍＭ）で懸濁した。
【００９６】
そして、懸濁サンプルを同様に上述の遠心分離工程に供し、これを３回繰り返して最後に得られた沈渣を０．３ｍＬの１％ＢＳＡ含有Ｔｒｉｓ−ＨＣｌ（１０ｍＭ）に懸濁して金コロイド結合ＯＲＦ１６タンパク質の溶液を得た。
【００９７】
＜実施例１＞検出条件の検討
測定対象菌株としてＳｔａｐｈｙｌｏｃｏｃｃｕｓ  ａｕｒｅｕｓ  ＦＤＡ２０９Ｐ及びＳｔａｐｈｙｌｏｃｏｃｃｕｓ  ｅｐｉｄｅｒｍｉｄｉｓ  ＫＵＢ７９５（北里大学にて保存される臨床分離株）を使用した。
【００９８】
これらの菌体を、ＢＨＩＡ培地を用いて３５℃で一晩培養して集菌したものを測定対象菌体として得た。次いで、得られた各培養菌体を精製水に懸濁し、５７８ｎｍのＯＤが０．３となるように希釈した。
【００９９】
これらの菌体希釈液を、以下に示すアルカリ処理、中性処理、酸処理、酸処理後中和の各種処理に供した。
【０１００】
〔アルカリ処理〕
１００μＬの菌体希釈液と１００μＬのＮａＯＨ（０．４Ｍ）を混合し、５分間の煮沸処理に供した後に、８５μＬのＫＨ２ＰＯ４（０．７５Ｍ）及び１５μＬの精製水を添加して混合した。
【０１０１】
次いで、これを４℃の環境下で１２０００ｒｐｍの条件で１０分間の遠心分離工程に供し、得られた上清の５μＬを測定対象サンプルとした。
【０１０２】
〔中性処理〕
１００μＬの菌体希釈液と１００μＬの０．１％Ｔｗｅｅｎ２０含有ＰＢＳを混合し、５分間の煮沸処理に供した後に、１００μＬの０．１％Ｔｗｅｅｎ２０含有ＰＢＳを添加して混合した。
【０１０３】
次いで、これを４℃の環境下で１２０００ｒｐｍの条件で１０分間の遠心分離工程に供し、得られた上清の５μＬを測定対象サンプルとした。
【０１０４】
〔酸性処理後中和（１）〕
１００μＬの菌体希釈液と１００μＬの０．０６％Ｂｒｉｊ５８を含有する０．１５ＭのＨＣｌを混合し、５分間の煮沸処理に供した後に、８５μＬのＫＨ２ＰＯ４（０．６Ｍ）及び１５μＬの精製水を添加して混合した。
【０１０５】
次いで、これを４℃の環境下で１２０００ｒｐｍの条件で１０分間の遠心分離工程に供し、得られた上清の５μＬを測定対象サンプルとした。
【０１０６】
〔酸性処理後中和（２）〕
１００μＬの菌体希釈液と１００μＬのＨＣｌ（６０ｍＭ）を混合し、５分間の煮沸処理に供した後に、１００μＬのＴｒｉｔｏｎ  Ｘ−１００（０．０７５％）及びＮａＯＨ（５０ｍＭ）を含有する０．３ＭのＫ２ＨＰＯ４バッファー（ｐＨ８．０）を添加して混合して中和処理を行った。
【０１０７】
次いで、これを４℃の環境下で１２０００ｒｐｍの条件で１０分間の遠心分離工程に供し、得られた上清の５μＬを測定対象サンプルとした。
【０１０８】
上述の各処理に供して得られたそれぞれ５μＬの測定対象サンプルを、４５μＬの展開バッファー及び５μＬの上述の金コロイド結合ＯＲＦ１６タンパク質溶液とウェル内で混合し、上記のテストストリップをＯＲＦ１６タンパク質固相化メンブレンの下端が混合液に触れる様に立てて５分間展開した。更に、ウェル中に０．０５％のＴｒｉｔｏｎ  Ｘ−１００を含有する５０μＬの０．１Ｍ  ＰＢＮａ（ｐＨ８．０）を加えて、更に５分間展開させた。
【０１０９】
展開バッファーとは、６０ｍＭのＨＣｌ；精製水；並びにＴｒｉｔｏｎ  Ｘ−１００（０．０７５％）及びＮａＯＨ（５０ｍＭ）を含有する０．３ＭのＫ２ＨＰＯ４バッファー（ｐＨ８．０）を、それぞれ等量ずつ混合して得られたものである。
【０１１０】
上記２回の展開後、金コロイドに基づく着色バンドを目視にて確認した。図２は展開後の結果を示す写真像である。また、表１は各種条件と目視による結果を示したものである。
【０１１１】
【表１】
2015169632.tif 000002
【０１１２】
図２及び表１に示すように、ＯＲＦ１６タンパク質を用いた本実施例の検出方法によると、Ｓｔａｐｈｙｌｏｃｏｃｃｕｓ  ｅｐｉｄｅｒｍｉｄｉｓは一切検出されることはなかった。
【０１１３】
また、Ｓｔａｐｈｙｌｏｃｏｃｃｕｓ  ａｕｒｅｕｓに関しては、測定対象菌体（菌体希釈液）を含有するサンプルをアルカリ処理及び中性処理に供したした場合よりも、酸処理後に中和に供した場合〔酸処理後中和（１）〕のほうが、金コロイドによる着色バンドがより濃く呈されることが明らかとなった。更に、酸処理の後に水酸化ナトリウムを用いて中和処理に供したもの〔酸処理後中和（２）〕は、金コロイドによるより濃い着色バンドを呈することが明らかとなった。
【０１１４】
＜実施例２＞検出感度の検討
試験菌株として、下記の表２に示す各種Ｓｔａｐｈｙｌｏｃｏｃｃｕｓ  ａｕｒｅｕｓ菌株を用いた。なお、ｓｍｉｔｈ株はＡＴＣＣから入手（ＡＴＣＣ１３７０９）、ＡＴＣＣ４３３００株はＡＴＣＣから入手、そして９２−１１９１株は北里大学にて保存される臨床分離株である。
【０１１５】
これらの各種Ｓｔａｐｈｙｌｏｃｏｃｃｕｓ  ａｕｒｅｕｓ菌株を、ＢＨＩＡ培地を用いて３５℃で一晩培養して集菌したものを測定対象菌体として得た。次いで、得られた各培養菌体を精製水に懸濁し、５７８ｎｍのＯＤが０．３となるように希釈した。
【０１１６】
そして希釈菌体を、実施例１に示す〔酸性処理後中和〕処理に供して測定対象サンプルを作製した。
【０１１７】
測定対象サンプル中の菌株濃度をそれぞれ１×１０８ｃｆｕ／ｍｌ、３×１０７ｃｆｕ／ｍｌ、及び１×１０７ｃｆｕ／ｍｌに調製し（５０μＬ）、それぞれ５μＬの上述の金コロイド結合ＯＲＦ１６タンパク質溶液とウェル内で混合し、上記のテストストリップをＯＲＦ１６タンパク質固相化メンブレンの下端が混合液に触れる様に立てて５分間展開した。更に、ウェル中に０．０５％のＴｒｉｔｏｎ  Ｘ−１００を含有する５０μＬの０．１Ｍ  ＰＢＮａ（ｐＨ８．０）を加えて、更に５分間展開させた。
【０１１８】
上記２回の展開後、金コロイドに基づく着色バンドを目視にて確認した。結果を図３に示す。なお図３のサンプル番号は、下記表２に示すとおりである。
【０１１９】
【表２】
2015169632.tif 000003
【０１２０】
図２に示す結果から、本実施例の実験結果によると、Ｓｔａｐｈｙｌｏｃｏｃｃｕｓ  ａｕｒｅｕｓの各種菌株において、１×１０７〜３×１０７ｃｆｕ／ｍｌ程度の検出感度を示すことが明らかとなった。
【０１２１】
＜実施例３＞検出交差性の検討
下記表３に示す菌種を、それぞれＢＨＩＡ培地を用いて３５℃で一晩培養した。得られた培養菌体を白金耳で１０８〜１０９ｃｆｕ採取し、１００μＬのＨＣｌ（３０ｍＭ）に懸濁し、５分間煮沸処理に供した。
【０１２２】
次いで、煮沸処理後のサンプルに５０μＬのＴｒｉｔｏｎ  Ｘ−１００（０．０７５％）及びＮａＯＨ（５０ｍＭ）を含有する０．３ＭのＫ２ＨＰＯ４バッファー（ｐＨ８．０）を添加して中和処理を行った後に、４℃の環境下で１２０００ｒｐｍの条件で１０分間の遠心分離工程に供して、得られた上清の５０μＬを測定対象サンプルとした。
【０１２３】
測定対象サンプルに、それぞれ５μＬの上述の金コロイド結合ＯＲＦ１６タンパク質溶液とウェル内で混合し、上記のテストストリップをＯＲＦ１６タンパク質固相化メンブレンの下端が混合液に触れる様に立てて５分間展開した。更に、ウェル中に０．０５％のＴｒｉｔｏｎ  Ｘ−１００を含有する５０μＬの０．１Ｍ  ＰＢＮａ（ｐＨ８．０）を加えて、更に５分間展開させた。
【０１２４】
上記２回の展開後、金コロイドに基づく着色バンドを目視にて確認した。結果を図４に示す。なお、図４に示すサンプル番号は、下記表３に示すとおりである。
【０１２５】
【表３】
2015169632.tif 000004
【０１２６】
図４に示す結果から、本実施例の方法では、Ｓｔａｐｈｙｌｏｃｏｃｃｕｓ属に属するＳｔａｐｈｙｌｏｃｏｃｃｕｓ  ａｕｒｅｕｓ以外の菌種は一切検出しないことが明らかとなった。また、Ｓｔａｐｈｙｌｏｃｏｃｃｕｓ属菌以外の菌も検出しないことが明らかとなった。
【０１２７】
＜実施例４＞Ｓｔａｐｈｙｌｏｃｏｃｃｕｓ  ａｕｒｅｕｓ臨床分離株の検討
北里大学にて保存される臨床分離株（Ｎｏ．１〜Ｎｏ．１６）を、それぞれＢＨＩＡ培地を用いて３５℃で一晩培養した。
【０１２８】
以後の実験は、上記実施例３と同様に行った。試験菌株の濃度も、１０８〜１０９ｃｆｕと上記実施例３と同様である。結果を図５に示す。なお、図５に示すサンプル番号は、下記表４に示すとおりである。
【０１２９】
図５に示す結果から、本実施例の方法では、Ｓｔａｐｈｙｌｏｃｏｃｃｕｓ  ａｕｒｅｕｓの１６種もの臨床分離株を検出することができた。
【０１３０】
以上の実施例に記載の方法によると、Ｓｔａｐｈｙｌｏｃｏｃｃｕｓ  ａｕｒｅｕｓを高感度に検出する事ができ、Ｓｔａｐｈｙｌｏｃｏｃｃｕｓ属に属する以外の菌種及びＳｔａｐｈｙｌｏｃｏｃｃｕｓ属菌以外の菌も検出しないことが明らかとなった。
【図１】
2015169632.tif 000005
【図２】
2015169632.tif 000006
【図３】
2015169632.tif 000007
【図４】
2015169632.tif 000008
【図５】
2015169632.tif 000009
【配列表】
2015169632000001.app